(57)【要約】  携帯用通信装置は、無線通信を受信するように構成されている送受信器、とその送受信器に結合されているコントローラとを備えることができる。より詳細には、コントローラは、送受信器によって送受信された通信を処理するように構成したり、携帯用通信装置の複数の機能を提供するように構成したりすることもできる。さらに、コントローラは、送受信器で無線で受信した抑制通信に応答して、複数の機能のうちの少なくとも１つの機能の動作を選択的に抑制する一方で、複数の機能のうちの少なくとももう１つの機能の動作を維持するように構成することもできる。関連の制御装置および方法についても説明している。【特許請求の範囲】
【請求項１】
無線通信を受信するように構成されている送受信器と、
前記送受信器に結合されているコントローラとを備え、
前記コントローラが前記送受信器によって受信された通信を処理するように構成されており、
前記コントローラが携帯用通信装置の複数の機能を提供するように構成されており、
前記コントローラは、前記送受信器で無線で受信された抑制通信に応答して、複数の機能のうちの少なくとも１つの機能の動作を選択的に抑制する一方で、前記複数の機能のうちの少なくとももう１つの機能の動作を維持するように構成されている
ことを特徴とする携帯用通信装置。
【請求項２】
前記携帯用通信装置の前記複数の機能が、無線電話、アドレス帳、計算器、カレンダ、デジタル・カメラ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも２つを含むことを特徴とする請求項１に記載の携帯用通信装置。
【請求項３】
前記携帯用通信装置の前記複数の機能が、無線電話と、アドレス帳、計算器、カレンダ、デジタル・カメラ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも１つとを含み、
前記無線電話機能の動作は、前記機能のうちの少なくとももう１つの機能の動作が維持される一方で、前記抑制通信に応答して抑制されることを特徴とする請求項１に記載の携帯用通信装置。
【請求項４】
前記携帯用通信装置の前記複数の機能が、デジタル・カメラと、無線電話、アドレス帳、計算器、カレンダ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも１つとを含み、
前記デジタル・カメラ機能の動作は、前記機能のうちの少なくとももう１つの機能の動作が維持される一方で、前記抑制通信に応答して抑制されることを特徴とする請求項１に記載の携帯用通信装置。
【請求項５】
前記携帯用通信装置の前記複数の機能が、デジタル・オーディオ・レコーダと、無線電話、アドレス帳、計算器、カレンダ、デジタル・カメラ、デジタル・ゲーム、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも１つとを含み、
前記デジタル・オーディオ・レコーダ機能の動作は、前記機能のうちの少なくとももう１つの機能の動作が維持される一方で、前記抑制通信に応答して抑制されることを特徴とする請求項１に記載の携帯用通信装置。
【請求項６】
前記携帯用通信装置の前記複数の機能が、デジタル・ビデオ・レコーダと、無線電話、アドレス帳、計算器、カレンダ、デジタル・カメラ、デジタル・ゲーム、デジタル・オーディオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも１つとを含み、
前記デジタル・ビデオ・レコーダ機能の動作は、前記機能のうちの少なくとももう１つの機能の動作が維持される一方で、前記抑制通信に応答して抑制されることを特徴とする請求項１に記載の携帯用通信装置。
【請求項７】
前記携帯用通信装置の前記複数の機能が、電子メール送信器と、無線電話、アドレス帳、計算器、カレンダ、デジタル・カメラ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール受信器、デジタル・データ送信器、およびデジタル画像ビューアのうちの少なくとも１つとを含み、
前記電子メール送信器機能の動作は、前記機能のうちの少なくとももう１つの機能の動作が維持される一方で、前記抑制通信に応答して抑制されることを特徴とする請求項１に記載の携帯用通信装置。
【請求項８】
前記携帯用通信装置の前記複数の機能が、インターネット・ブラウザと、無線電話、アドレス帳、計算器、カレンダ、デジタル・カメラ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、電子メール送信器、電子メール受信器、デジタル・データ送信器、およびデジタル画像ビューアのうちの少なくとも１つとを含み、
前記インターネット・ブラウザ機能の動作は、前記機能のうちの少なくとももう１つの機能の動作が維持される一方で、前記抑制通信に応答して抑制されることを特徴とする請求項１に記載の携帯用通信装置。
【請求項９】
前記コントローラは、前記抑制通信に応答して、送信を必要としない少なくとも１つの機能の動作を維持する一方で、無線送信を選択的に抑制するように構成されていることを特徴とする請求項１に記載の携帯用通信装置。
【請求項１０】
前記コントローラは、前記抑制通信に応答して、デジタル記録を必要としない少なくとも１つの機能の動作を維持する一方で、少なくとも画像および音声のいずれかのデジタル記録を選択的に抑制するように構成されていることを特徴とする請求項１に記載の携帯用通信装置。
【請求項１１】
前記複数の機能のうちの前記少なくとも１つの機能の動作を選択的に抑制した後、前記コントローラは、さらに、前記送受信器で無線で受信された実行可能通信に応答して、前記複数の機能のうちの前記少なくとも１つの機能の動作を実行可能にするように構成されていることを特徴とする請求項１に記載の携帯用通信装置。
【請求項１２】
前記複数の機能のうちの前記少なくとも１つの機能の動作を選択的に抑制した後、前記コントローラは、さらに、その後の抑制通信の受信なしに所定の期間経過した後に、前記複数の機能のうちの少なくとも１つの機能の動作を実行可能にするように構成されていることを特徴とする請求項１に記載の携帯用通信装置。
【請求項１３】
前記抑制通信は、短距離データ通信プロトコルに従って前記送受信器で無線で受信されることを特徴とする請求項１に記載の携帯用通信装置。
【請求項１４】
前記短距離データ通信プロトコルがＢｌｕｅｔｏｏｔｈデータ通信プロトコルを含むことを特徴とする請求項１３に記載の携帯用通信装置。
【請求項１５】
前記短距離データ通信プロトコルがＩＥＥＥ８０２．１１データ通信プロトコルを含むことを特徴とする請求項１３に記載の携帯用通信装置。
【請求項１６】
無線通信を携帯用通信装置に送信する送信器と、
前記送信器に結合されているコントローラとを備え、
前記コントローラは、前記送信器から送信される通信を処理するように構成されており、前記コントローラは、前記複数の機能のうちの少なくとも１つの機能の動作を選択的に抑制する一方で、前記複数の機能のうちの少なくとももう１つの機能の動作を維持するように携帯用通信装置に指示する複数の機能を提供する前記携帯用通信装置の抑制通信を生成するように構成されており、前記抑制通信が前記送信器によって送信される
ことを特徴とするローカル制御装置。
【請求項１７】
前記携帯用通信装置の前記複数の機能が、無線電話、アドレス帳、計算器、カレンダ、デジタル・カメラ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも２つを含むことを特徴とする請求項１６に記載のローカル制御装置。
【請求項１８】
前記携帯用通信装置の前記複数の機能が、無線電話と、アドレス帳、計算器、カレンダ、デジタル・カメラ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも１つとを含み、
前記抑制通信が、前記機能の少なくとももう１つの機能の動作を維持する一方で、前記無線電話機能の動作を抑制するように前記携帯用通信装置に指示することを特徴とする請求項１６に記載のローカル制御装置。
【請求項１９】
前記携帯用通信装置の前記複数の機能が、デジタル・カメラと、無線電話、アドレス帳、計算器、カレンダ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも１つとを含み、
前記抑制通信が、前記機能の少なくとももう１つの機能の動作を維持する一方で、前記デジタル・カメラ機能の動作を抑制するように前記携帯用通信装置に指示することを特徴とする請求項１６に記載のローカル制御装置。
【請求項２０】
前記携帯用通信装置の前記複数の機能が、デジタル・オーディオ・レコーダと、無線電話、アドレス帳、計算器、カレンダ、デジタル・カメラ、デジタル・ゲーム、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも１つとを含み、
前記抑制通信が、前記機能の少なくとももう１つの機能の動作を維持する一方で、前記デジタル・オーディオ・レコーダ機能の動作を抑制するように前記携帯用通信装置に指示することを特徴とする請求項１６に記載のローカル制御装置。
【請求項２１】
前記携帯用通信装置の前記複数の機能が、デジタル・ビデオ・レコーダと、無線電話、アドレス帳、計算器、カレンダ、デジタル・カメラ、デジタル・ゲーム、デジタル・オーディオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも１つとを含み、
前記抑制通信が、前記機能の少なくとももう１つの機能の動作を維持する一方で、前記デジタル・ビデオ・レコーダ機能の動作を抑制するように前記携帯用通信装置に指示することを特徴とする請求項１６に記載のローカル制御装置。
【請求項２２】
前記携帯用通信装置の前記複数の機能が、電子メール送信器と、無線電話、アドレス帳、計算器、カレンダ、デジタル・カメラ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール受信器、デジタル・データ送信器、およびデジタル画像ビューアのうちの少なくとも１つとを含み、
前記抑制通信が、前記機能の少なくとももう１つの機能の動作を維持する一方で、前記電子メール送信器機能の動作を抑制するように前記携帯用通信装置に指示することを特徴とする請求項１６に記載のローカル制御装置。
【請求項２３】
前記携帯用通信装置の前記複数の機能が、インターネット・ブラウザと、無線電話、アドレス帳、計算器、カレンダ、デジタル・カメラ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、電子メール送信器、電子メール受信器、デジタル・データ送信器、およびデジタル画像ビューアのうちの少なくとも１つとを含み、
前記抑制通信が、前記機能の少なくとももう１つの機能の動作を維持する一方で、前記インターネット・ブラウザ機能の動作を抑制するように前記携帯用通信装置に指示することを特徴とする請求項１６に記載のローカル制御装置。
【請求項２４】
前記抑制通信が、送信を必要としない少なくとも１つの機能の動作を維持する一方で、無線送信を選択的に抑制するように前記携帯用通信装置に指示することを特徴とする請求項１６に記載のローカル制御装置。
【請求項２５】
前記抑制通信が、デジタル記録を必要としない少なくとも１つの機能の動作を維持する一方で、少なくとも画像及び音声のいずれかのデジタル記録を選択的に抑制するように前記携帯用通信装置に指示することを特徴とする請求項１６に記載のローカル制御装置。
【請求項２６】
前記抑制通信の送信の後、前記コントローラが、前に抑制されていた前記複数の機能のうちの前記少なくとも１つの機能の動作を実行可能にするように前記携帯用通信装置に指示する実行可能通信を生成し、前記実行可能通信が前記送信器から送信されることを特徴とする請求項１６に記載のローカル制御装置。
【請求項２７】
前記抑制通信が、短距離データ通信プロトコルに従って前記送信器から無線で送信されることを特徴とする請求項１６に記載のローカル制御装置。
【請求項２８】
前記短距離データ通信プロトコルが、Ｂｌｕｅｔｏｏｔｈデータ通信プロトコルを含むことを特徴とする請求項２７に記載のローカル制御装置。
【請求項２９】
前記短距離データ通信プロトコルが、ＩＥＥＥ８０２．１１データ通信プロトコルを含むことを特徴とする請求項２７に記載のローカル制御装置。
【請求項３０】
前記コントローラに結合されている受信器をさらに含み、前記受信器が前記携帯用通信装置から識別通信を受信し、前記コントローラが、前記携帯用通信装置からの前記識別通信の受信に応答して前記携帯用通信装置の前記抑制通信を生成する
ことを特徴とする請求項１６に記載のローカル制御装置。
【請求項３１】
複数の機能を提供する携帯用通信装置を動作する方法であって、
抑制通信を無線で受信する工程と、
前記抑制通信に応答して前記複数の機能のうちの少なくとも１つの機能の動作を選択的に抑制する一方で、前記複数の機能のうちの少なくとももう１つの機能の動作を維持する工程と
を備えることを特徴とする方法。
【請求項３２】
前記携帯用通信装置の前記複数の機能が、無線電話、アドレス帳、計算器、カレンダ、デジタル・カメラ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも２つを含むことを特徴とする請求項３１に記載の方法。
【請求項３３】
前記携帯用通信装置の前記複数の機能が、無線電話と、アドレス帳、計算器、カレンダ、デジタル・カメラ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも１つとを含み、
前記複数の機能のうちの少なくとも１つの機能の動作を選択的に抑制する工程は、前記機能のうちの少なくとももう１つの機能の動作を維持する一方で、前記抑制通信に応答して、前記無線電話機能の動作を抑制する工程を含むことを特徴とする請求項３１に記載の方法。
【請求項３４】
前記携帯用通信装置の前記複数の機能が、デジタル・カメラと、無線電話、アドレス帳、計算器、カレンダ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも１つとを含み、
前記複数の機能のうちの少なくとも１つの機能の動作を選択的に抑制する工程は、前記機能のうちの少なくとももう１つの機能の動作を維持する一方で、前記抑制通信に応答して、前記デジタル・カメラ機能の動作を抑制する工程を含むことを特徴とする請求項３１に記載の方法。
【請求項３５】
前記携帯用通信装置の前記複数の機能が、デジタル・オーディオ・レコーダと、無線電話、アドレス帳、計算器、カレンダ、デジタル・カメラ、デジタル・ゲーム、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも１つとを含み、
前記複数の機能のうちの少なくとも１つの機能の動作を選択的に抑制する工程は、前記機能のうちの少なくとももう１つの機能の動作を維持する一方で、前記抑制通信に応答して、前記デジタル・オーディオ・レコーダ機能の動作を抑制する工程を含むことを特徴とする請求項３１に記載の方法。
【請求項３６】
前記携帯用通信装置の前記複数の機能が、デジタル・ビデオ・レコーダと、無線電話、アドレス帳、計算器、カレンダ、デジタル・カメラ、デジタル・ゲーム、デジタル・オーディオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも１つとを含み、
前記複数の機能のうちの少なくとも１つの機能の動作を選択的に抑制する工程は、前記機能のうちの少なくとももう１つの機能の動作を維持する一方で、前記抑制通信に応答して、前記前記デジタル・ビデオ・レコーダ機能の動作を抑制する工程を含むことを特徴とする請求項３１に記載の方法。
【請求項３７】
前記携帯用通信装置の前記複数の機能が、電子メール送信器と、無線電話、アドレス帳、計算器、カレンダ、デジタル・カメラ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール受信器、デジタル・データ送信器、およびデジタル画像ビューアのうちの少なくとも１つとを含み、
前記複数の機能のうちの少なくとも１つの機能の動作を選択的に抑制する工程は、前記機能のうちの少なくとももう１つの機能の動作を維持する一方で、前記抑制通信に応答して、前記電子メール送信器機能の動作を抑制する工程を含むことを特徴とする請求項３１に記載の方法。
【請求項３８】
前記携帯用通信装置の前記複数の機能が、インターネット・ブラウザと、無線電話、アドレス帳、計算器、カレンダ、デジタル・カメラ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、電子メール送信器、電子メール受信器、デジタル・データ送信器、およびデジタル画像ビューアのうちの少なくとも１つとを含み、
前記複数の機能のうちの少なくとも１つの機能の動作を選択的に抑制する工程は、前記機能のうちの少なくとももう１つの機能の動作を維持する一方で、前記抑制通信に応答して、前記インターネット・ブラウザ機能の動作を抑制する工程を含むことを特徴とする請求項３１に記載の方法。
【請求項３９】
前記複数の機能のうちの少なくとも１つの機能の動作を選択的に抑制する工程が、前記抑制通信に応答して、無線送信を必要としない少なくとも１つの機能の動作を維持する一方で、無線送信を選択的に抑制する工程を含むことを特徴とする請求項３１に記載の方法。
【請求項４０】
前記複数の機能のうちの少なくとも１つの機能の動作を選択的に抑制する工程が、前記抑制通信に応答して、デジタル記録を必要としない少なくとも１つの機能の動作を維持する一方で、少なくとも画像および音声のいずれかのデジタル記録を選択的に抑制する工程を含むことを特徴とする請求項３１に記載の方法。
【請求項４１】
前記複数の機能のうちの前記少なくとも１つの機能の動作を選択的に抑制した後、実行可能通信を無線で受信する工程と、
前記実行可能通信の受信に応答して前記複数の機能のうちの前記少なくとも１つの機能の動作を実行可能にする工程と
をさらに備えることを特徴とする請求項３１に記載の方法。
【請求項４２】
その後の抑制通信を受信することなく、所定の期間の間、前記複数の機能のうちの前記少なくとも１つの機能の動作を選択的に抑制した後に、前記複数の機能のうちの前記少なくとも１つの機能の動作を実行可能とする工程をさらに備えることを特徴とする請求項３１に記載の方法。
【請求項４３】
前記抑制通信が、短距離データ通信プロトコルに従って無線で受信されることを特徴とする請求項３１に記載の方法。
【請求項４４】
前記短距離データ通信プロトコルが、Ｂｌｕｅｔｏｏｔｈデータ通信プロトコルを含むことを特徴とする請求項４３に記載の方法。
【請求項４５】
前記短距離データ通信プロトコルが、ＩＥＥＥ８０２．１１データ通信プロトコルを含むことを特徴とする請求項４３に記載の方法。
【請求項４６】
ローカル・エリア内の携帯用通信装置の動作を制御する方法であって、
複数の機能を提供する携帯用通信装置の抑制通信であって、前記携帯用通信装置が前記複数の機能のうちの少なくとも１つの機能の動作を選択的に抑制する一方で、前記複数の機能のうちの少なくとももう１つの機能の動作を維持するための指示を含む抑制通信を生成する工程と、
前記抑制通信を前記携帯用通信装置に無線で送信する工程と
を備えることを特徴とする方法。
【請求項４７】
前記携帯用通信装置の前記複数の機能が、無線電話、アドレス帳、計算器、カレンダ、デジタル・カメラ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも２つを含むことを特徴とする請求項４６に記載の方法。
【請求項４８】
前記携帯用通信装置の前記複数の機能が、無線電話と、ならびにアドレス帳、計算器、カレンダ、デジタル・カメラ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも１つとを含み、
前記抑制通信は、前記携帯用通信装置が前記機能のうちの少なくとももう１つの機能の動作を維持する一方で、前記無線電話機能の動作を抑制するための指示を含むことを特徴とする請求項４６に記載の方法。
【請求項４９】
前記携帯用通信装置の前記複数の機能が、デジタル・カメラと、無線電話、アドレス帳、計算器、カレンダ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも１つとを含み、
前記抑制通信は、前記携帯用通信装置が前記機能のうちの少なくとももう１つの機能の動作を維持する一方で、前記デジタル・カメラ機能の動作を抑制するための指示を含むことを特徴とする請求項４６に記載の方法。
【請求項５０】
前記携帯用通信装置の前記複数の機能が、デジタル・オーディオ・レコーダと、無線電話、アドレス帳、計算器、カレンダ、デジタル・カメラ、デジタル・ゲーム、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも１つとを含み、
前記抑制通信は、前記携帯用通信装置が前記機能のうちの少なくとももう１つの機能の動作を維持する一方で、前記デジタル・オーディオ・レコーダ機能の動作を抑制するための指示を含むことを特徴とする請求項４６に記載の方法。
【請求項５１】
前記携帯用通信装置の前記複数の機能が、デジタル・ビデオ・レコーダと、無線電話、アドレス帳、計算器、カレンダ、デジタル・カメラ、デジタル・ゲーム、デジタル・オーディオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも１つとを含み、
前記抑制通信は、前記携帯用通信装置が前記機能のうちの少なくとももう１つの機能の動作を維持する一方で、前記デジタル・ビデオ・レコーダ機能の動作を抑制するための指示を含むことを特徴とする請求項４６に記載の方法。
【請求項５２】
前記携帯用通信装置の前記複数の機能が、電子メール送信器と、無線電話、アドレス帳、計算器、カレンダ、デジタル・カメラ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール受信器、デジタル・データ送信器、およびデジタル画像ビューアのうちの少なくとも１つとを含み、
前記抑制通信は、前記携帯用通信装置が前記機能のうちの少なくとももう１つの機能の動作を維持する一方で、前記電子メール送信器の動作を抑制するための指示を含むことを特徴とする請求項４６に記載の方法。
【請求項５３】
前記携帯用通信装置の前記複数の機能が、インターネット・ブラウザと、無線電話、アドレス帳、計算器、カレンダ、デジタル・カメラ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、電子メール送信器、電子メール受信器、デジタル・データ送信器、およびデジタル画像ビューアのうちの少なくとも１つとを含み、
前記抑制通信は、前記携帯用通信装置が前記機能のうちの少なくとももう１つの機能の動作を維持する一方で、前記インターネット・ブラウザ機能の動作を抑制するための指示を含むことを特徴とする請求項４６に記載の方法。
【請求項５４】
前記抑制通信は、前記携帯用通信装置が送信を必要としない少なくとも１つの機能の動作を維持する一方で、無線送信を選択的に抑制するための指示を含むことを特徴とする請求項４６に記載の方法。
【請求項５５】
前記抑制通信は、前記携帯用通信装置がデジタル記録を必要としない少なくとも１つの機能の動作を維持する一方で、少なくとも画像および音声のいずれかのデジタル記録を選択的に抑制するための指示を含むことを特徴とする請求項４６に記載の方法。
【請求項５６】
前記抑制通信を送信した後、前に抑制されていた前記複数の機能のうちの前記少なくとも１つの機能の動作を実行可能にするように前記携帯用通信装置に指示する実行可能通信を生成する工程と、
前記実行可能通信を前記携帯用通信装置に送信する工程と
をさらに備えることを特徴とする請求項４６に記載の方法。
【請求項５７】
前記抑制通信が、短距離データ通信プロトコルに従って無線で送信されることを特徴とする請求項４６に記載の方法。
【請求項５８】
前記短距離データ通信プロトコルが、Ｂｌｕｅｔｏｏｔｈデータ通信プロトコルを含むことを特徴とする請求項５７に記載の方法。
【請求項５９】
前記短距離データ通信プロトコルが、ＩＥＥＥ８０２．１１データ通信プロトコルを含むことを特徴とする請求項５７に記載の方法。
【請求項６０】
前記抑制通信を生成する工程に先立って前記携帯用通信装置から識別通信が受信され、前記携帯用通信装置からの前記識別通信の受信に応答して、前記携帯用通信装置のための前記抑制通信が生成されることを特徴とする請求項４６に記載の方法。
【発明の詳細な説明】
【技術分野】
【０００１】
本発明は、携帯用通信装置に関し、より詳細には、複数の機能を含む携帯用通信装置および関連の方法に関する。
【背景技術】
【０００２】
携帯用通信装置によって提供される機能はますます増加しつつある。例えば、携帯用通信装置は、少なくとも、複数の携帯情報端末（ＰＤＡ）、無線電話、アドレス帳、計算器、カレンダ、デジタル・ゲーム、デジタル・カメラ、デジタル・オーディオ・レコーダ、デジタル・ビデオ・レコーダ、電子メール送信器／受信器、インターネット・ブラウザ、オーディオ・プレイヤ（ＭＰ３プレイヤなど）、デジタル・ビデオ・プレイヤ、ページャ、ワード・プロセッサ、スプレッドシート、デジタル・データ送信器、およびデジタル画像ビューアなどのいずれかの機能を兼備し得る。
【０００３】
しかし、単一装置において機能が増加することは、機能のうちの１つが禁止される環境で装置のすべての使用が禁止される可能性があるという欠点を有する。例えば、安全上の理由（例えば飛行機や病院などで）で無線電話の通信が禁止されている場合、無線電話を含む携帯用通信装置の使用の一律の禁止によって、脅威を与えない携帯用通信装置の他の機能も同様に使用できなくなる可能性がある。
【０００４】
より詳細には、無線伝送を含む機能は、例えば病院や飛行機など、無線伝送が生命に関わる電子装置の動作を妨害し得る環境で禁止される可能性がある。また、無線電話通信などいくつかの機能は、（劇場など）静寂が望ましいところで禁止される可能性もある。さらに、少なくともデータ送信および記録のいずれかを含む機能は、保安上の理由（機密を扱う軍地区や大使館など）で、または商業上の理由（少なくとも画像、ビデオ、および音声の何れかについて無断複製が禁止されている博物館、スポーツ・イベント、コンサート、演劇など）で禁止される可能性がある。
【発明の開示】
【課題を解決するための手段】
【０００５】
本発明の実施形態によれば、携帯用通信装置は、無線通信を受信するように構成されている送受信器、およびその送受信器に結合されているコントローラを備えることができる。コントローラは、送受信器によって送受信された通信を処理するように構成したり、携帯用通信装置の複数の機能を提供するように構成したりすることもできる。さらに、コントローラは、送受信器で無線で受信した抑制通信（ｉｎｈｉｂｉｔ  ｃｏｍｍｕｎｉｃａｔｉｏｎ）に応答して、複数の機能のうちの少なくとも１つの機能の動作を選択的に抑制する一方で、複数の機能のうちの少なくとももう１つの機能の動作を維持するように構成することもできる。
【０００６】
より詳細には、コントローラは、無線電話機能、アドレス帳機能、計算器機能、カレンダ機能、デジタル・カメラ機能、デジタル・ゲーム機能、デジタル・オーディオ・レコーダ機能、デジタル・ビデオ・レコーダ機能、デジタル・オーディオ・プレイヤ機能、デジタル・ビデオ・プレイヤ機能、ページャ機能、ワード・プロセッサ機能、スプレッドシート機能、インターネット・ブラウザ機能、電子メール送信器機能、電子メール受信器機能、デジタル・データ送信器機能、およびデジタル画像ビューア機能のうちの少なくとも２つを提供するように構成することができる。例えば、無線電話機能、デジタル・カメラ機能、デジタル・オーディオ・レコーダ機能、デジタル・ビデオ・レコーダ機能、電子メール送信器機能、およびインターネット・ブラウザ機能のうちの少なくとも１つの機能の動作を維持する一方で、抑制通信に応答して、その複数の機能のうちの少なくとももう１つの機能を抑制することができる。
【０００７】
コントローラはまた、抑制通信に応答して、送信を必要としない少なくとも１つの機能の動作を維持する一方で、無線送信を選択的に抑制するように構成することができる。それ以外にも、コントローラは、抑制通信に応答して、デジタル記録を必要としない少なくとも１つの機能の動作を維持する一方で、少なくとも画像および音声のいずれかのデジタル記録を選択的に抑制するように構成することができる。
【０００８】
複数の機能のうちの少なくとも１つの機能の動作を選択的に抑制した後、コントローラは、さらに、送受信器で無線で受信された実行可能通信（ｅｎａｂｌｅ  ｃｏｍｍｕｎｉｃａｔｉｏｎ）に応答して、複数の機能のうちの少なくとも１つの機能の動作を実行可能にするように構成することができる。例えば、コントローラは、さらに、その後の抑制通信の受信なしに所定の期間経過した後、複数の機能のうちの少なくとも１つの機能の動作を実行可能にするように構成することができる。さらに、抑制通信は、Ｂｌｕｅｔｏｏｔｈデータ通信プロトコルまたはＩＥＥＥ８０２．１１データ通信プロトコルなどの短距離データ通信プロトコルに従って送受信器で無線で受信することができる。
【０００９】
本発明の別の実施形態によれば、ローカル制御装置は、無線通信を携帯用通信装置に送信する送信器、および送信器に結合されているコントローラを備えることができる。コントローラは、送信器から送信された通信を処理するように構成することができ、またコントローラは、複数の機能を提供する携帯用通信装置の抑制通信を生成するように構成することができる。より詳細には、抑制通信は、複数の機能のうちの少なくとも１つの機能の動作を選択的に抑制する一方で、複数の機能のうちの少なくとももう１つの機能の動作を維持するよう携帯用通信装置に命令することができ、抑制通信は、送信器によって送信することができる。
【００１０】
より詳細には、携帯用通信装置の複数の機能は、無線電話機能、アドレス帳機能、計算器機能、カレンダ機能、デジタル・カメラ機能、デジタル・ゲーム機能、デジタル・オーディオ・レコーダ機能、デジタル・ビデオ・レコーダ機能、デジタル・オーディオ・プレイヤ機能、デジタル・ビデオ・プレイヤ機能、ページャ機能、ワード・プロセッサ機能、スプレッドシート機能、インターネット・ブラウザ機能、電子メール送信器機能、電子メール受信器機能、デジタル・データ送信器機能、およびデジタル画像ビューア機能のうちの少なくとも２つを含み得る。例えば、抑制通信は、無線電話機能、デジタル・カメラ機能、デジタル・オーディオ・レコーダ機能、デジタル・ビデオ・レコーダ機能、電子メール送信器機能、およびインターネット・ブラウザ機能のうちの少なくとも１つを抑制するよう携帯用通信装置に指示することができる。
【００１１】
抑制通信はまた、送信を必要としない少なくとも１つの機能の動作を維持する一方で無線通信を選択的に抑制するように、携帯用通信装置に指示することができる。それ以外にも、抑制通信は、デジタル記録を必要としない少なくとも１つの機能の動作を維持する一方で、少なくとも画像および音声のいずれかのデジタル記録を選択的に抑制するよう携帯用通信装置に指示することができる。
【００１２】
抑制通信を送信した後、コントローラは、前に抑制された複数の機能のうちの少なくとも１つの機能の動作を実行可能にするよう携帯用通信装置に指示する実行可能通信を生成することができ、実行可能通信は、送信器から送信することができる。さらに、抑制通信や実行可能通信は、Ｂｌｕｅｔｏｏｔｈデータ通信プロトコルまたはＩＥＥＥ８０２．１１データ通信プロトコルなどの短距離データ通信プロトコルに従って送信器から無線で送信することができる。ローカル制御装置は、コントローラに結合されている受信器も含んでおり、受信器は、携帯用通信装置から識別通信を受信し、コントローラは、携帯用通信装置からの識別通信の受信に応答して携帯用通信装置の抑制通信を生成する。
【００１３】
本発明のさらに別の実施形態によれば、複数の機能を提供する携帯用通信装置を動作する方法を提供することができる。例えば、抑制通信は、無線で受信することができ、抑制通信に応答して複数の機能のうちの少なくとも１つの機能の動作を選択的に抑制する一方で、複数の機能のうちの少なくとももう１つの機能の動作を維持することができる。例えば、携帯用通信装置の複数の機能は、無線電話機能、アドレス帳機能、計算器機能、カレンダ機能、デジタル・カメラ機能、デジタル・ゲーム機能、デジタル・オーディオ・レコーダ機能、デジタル・ビデオ・レコーダ機能、デジタル・オーディオ・プレイヤ機能、デジタル・ビデオ・プレイヤ機能、ページャ機能、ワード・プロセッサ機能、スプレッドシート機能、インターネット・ブラウザ機能、電子メール送信器機能、電子メール受信器機能、デジタル・データ送信器機能、およびデジタル画像ビューア機能のうちの少なくとも２つを含み得る。
【００１４】
より詳細には、複数の機能のうちの少なくとも１つの機能の動作を選択的に抑制する工程は、無線電話機能、デジタル・カメラ機能、デジタル・オーディオ・レコーダ機能、デジタル・ビデオ・レコーダ機能、電子メール送信器、およびインターネット・ブラウザ機能機能のうちの少なくとも１つの機能の動作を維持する一方で、その機能のうちの少なくとももう１つの機能の動作を抑制する工程を含むことができる。また、複数の機能のうちの少なくとも１つの機能の動作を選択的に抑制する工程は、抑制通信に応答して、無線送信を必要としない少なくとも１つの機能の動作を維持する一方で、無線送信を選択的に抑制する工程を含むことができる。それ以外にも、複数の機能のうちの少なくとも１つの機能の動作を選択的に抑制する工程は、抑制通信に応答して、デジタル記録を必要としない少なくとも１つの機能の動作を維持する一方で、少なくとも画像および音声のいずれかのデジタル記録を選択的に抑制する工程を含むことができる。
【００１５】
複数の機能のうちの少なくとも１つの機能の動作を選択的に抑制した後、実行可能通信を無線で受信することができ、実行可能通信の受信に応答して、複数の機能のうちの少なくとも１つの機能の動作を実行可能にすることができる。さらに、その後の抑制通信を受信することなく、所定の期間の間、複数の機能のうちの少なくとも１つの機能の動作を選択的に抑制した後で、複数の機能のうちの少なくとも１つの機能の動作を実行可能にすることができる。さらに、抑制通信や実行可能通信は、Ｂｌｕｅｔｏｏｔｈデータ通信プロトコルまたはＩＥＥＥ８０２．１１データ通信プロトコルなどの短距離データ通信プロトコルに従って無線で受信することができる。
【００１６】
本発明のさらに別の実施形態によれば、ローカル・エリアにおける携帯用通信装置の動作を制御する方法を提供することができる。より詳細には、複数の機能を提供する携帯用通信装置のための抑制通信を生成することができ、抑制通信は、携帯用通信装置が複数の機能のうちの少なくとも１つの機能の動作を選択的に抑制する一方で複数の機能のうちの少なくとももう１つの機能の動作を維持するための指示を含む。次いで、抑制通信は、携帯用通信装置に無線で送信することができる。より詳細には、携帯用通信装置の複数の機能は、無線電話機能、アドレス帳機能、計算器機能、カレンダ機能、デジタル・カメラ機能、デジタル・ゲーム機能、デジタル・オーディオ・レコーダ機能、デジタル・ビデオ・レコーダ機能、デジタル・オーディオ・プレイヤ機能、デジタル・ビデオ・プレイヤ機能、ページャ機能、ワード・プロセッサ機能、スプレッドシート機能、インターネット・ブラウザ機能、電子メール送信器機能、電子メール受信器機能、デジタル・データ送信器機能、およびデジタル画像ビューア機能のうちの少なくとも２つを含み得る。
【００１７】
例えば、抑制通信は、携帯用通信装置が無線電話機能、デジタル・カメラ機能、デジタル・オーディオ・レコーダ機能、デジタル・ビデオ・レコーダ機能、電子メール送信器機能、及びインターネット・ブラウザ機能のうちの少なくとも１つの機能の動作を維持する一方で、その機能のうちの少なくとももう１つの機能の動作を抑制するための指示を含み得る。また、抑制通信は、携帯用通信装置が送信を必要としない少なくとも１つの機能の動作を維持しながら無線通信を選択的に抑制するための指示を含み得る。それ以外でも更に、抑制通信は、携帯用通信装置がデジタル記録を必要としない少なくとも１つの機能の動作を維持する一方で、少なくとも画像および音声のいずれかのデジタル記録を選択的に抑制するための指示を含み得る。
【００１８】
抑制通信を送信した後、前に抑制されていた複数の機能のうちの少なくとも１つの機能の動作を実行可能にするよう携帯用通信装置に指示する実行可能通信を生成することができ、実行可能通信は、携帯用通信装置に送信することができる。さらに、抑制通信や実行可能通信は、Ｂｌｕｅｔｏｏｔｈデータ通信プロトコルまたはＩＥＥＥ８０２．１１データ通信プロトコルなどの短距離データ通信プロトコルに従って無線で送信することができる。さらに、抑制通信の生成に先立って、携帯用通信装置から識別通信を受信してもよく、携帯用通信装置からの識別通信の受信に応答して、携帯用通信装置のための抑制通信を生成することができる。
【発明を実施するための最良の形態】
【００１９】
以下に、本発明の好ましい実施形態を示している添付の図面を参照して本発明をより十分に説明する。ただし、本発明は、異なる多くの形態で具体化することができ、本明細書に記載した実施形態に限定されるものと解釈されるべきではない。むしろ、これらの実施形態は、本開示が完璧かつ完全となるように、また当業者に本発明の範囲を十分に伝えるように提供されている。全体を通じて、類似の番号は類似の要素を指す。また、要素が別の要素に「接続」または「結合」されていると言うとき、その別の要素に直接接続または結合されていても、介在要素が存在していてもよいことを理解されたい。これに対して、要素が別の要素に「直接接続」または「直接結合」されていると言うとき、介在要素は存在しない。
【００２０】
図１に示すように、本発明の実施形態に従って、携帯用通信装置２１およびローカル制御装置４１は、携帯用通信装置２１の機能の選択的な抑制を提供することができる。携帯用通信装置は、アンテナ２３、送信器２７および受信器器２９を含む送受信器器２５、コントローラ３１、ユーザ・インターフェース３３、機能インヒビタ（ｆｅａｔｕｒｅ  ｉｎｈｉｂｉｔｏｒ）３５、およびデータ生成装置３７の少なくともいずれかを含み得る。したがって、送受信器器２５は、コントローラ３１の制御下で動作し、送信器２７はコントローラ３１によって提供されたデータをアンテナ２３から送信し、受信器器２９はアンテナ２３を介して受信されたデータをコントローラ３１に提供する。
【００２１】
ユーザ・インターフェース３３は、コントローラ３１に結合されており、ユーザ・インターフェース３３は、ユーザからのユーザ入力を受け付け、データ出力をユーザに提供することができる。ユーザ・インターフェース３３は、例えば、マイクロフォン、キー・パッド、および接触式画面の少なくともいずれかのように、送信器２７から送信するための情報、および携帯用通信装置を制御するための情報の少なくともいずれかを提供するために使用される１以上の入力装置を含み得る。ユーザ・インターフェース３３は、少なくともスピーカおよびディスプレイのいずれかのように、情報をユーザに提供するために使用される１以上の出力装置も含み得る。
【００２２】
データ生成装置３７は、パーソナル電子装置によって提供される機能に従って１以上のデータキャプチャー装置を含み得る。データ生成装置３７は、例えば、ＣＣＤ（電荷結合素子）などスチール画像およびビデオ画像の少なくともいずれかを記録するための画像キャプチャー装置、および／または音声を録音するためのマイクロフォンを含み得る。
【００２３】
コントローラ３１は、携帯用通信装置２１の複数の機能をサポートするように構成することができる。例えば、コントローラ３１によってサポートされている機能は、無線電話機能、アドレス帳機能、計算器機能、カレンダ機能、デジタル・カメラ機能、デジタル・ゲーム機能、デジタル・オーディオ・レコーダ機能、デジタル・ビデオ・レコーダ機能、デジタル・オーディオ・プレイヤ機能、デジタル・ビデオ・プレイヤ機能、ページャ機能、ワード・プロセッサ機能、スプレッドシート機能、インターネット・ブラウザ機能、電子メール送信器機能、電子メール受信器機能、デジタル・データ送信器機能、およびデジタル画像ビューア機能のうちの複数を含み得る。
【００２４】
さらに、これらの機能のうちの１以上の間の連携を提供することができる。例えば、データ生成装置３７は、スチール画像、ビデオ画像および音声の少なくともいずれかを記録するための画像キャプチャー装置およびマイクロフォンの少なくともいずれかを含んでいてもよく、コントローラ３１のデータ送信器機能は、記録された画像、ビデオ、および音声の少なくともいずれかについての無線送信を提供することができる。同様に、ユーザ・インターフェース３３は、スチール画像、ビデオ、および音声の少なくともいずれかの再生を可能にする画像／ビデオ画面、およびスピーカの少なくともいずれかを含んでいてもよい。また、コントローラ３１は、再生する画像データ、ビデオ・データ、および音声データの少なくともいずれかをユーザ・インターフェース３３で無線で受信するように構成することができる。
【００２５】
機能インヒビタ３５は、コントローラ３１と連携して動作して、アンテナ２３および受信器器２９で無線で受信される抑制通信に応答して、複数の機能のうちの少なくとも１つの機能の動作を維持しながら、携帯用通信装置２１の複数の機能のうちの少なくとももう１つの機能の動作を抑制することができる。機能インヒビタ３５は、図１では個別のブロックとして示されているが、機能インヒビタ３５は、コントローラ３１の一構成要素と見なすこともできる。また、機能インヒビタ３５を参照して説明した動作をコントローラ３１によって実行することができる。
【００２６】
携帯用通信装置２１の送受信器器２５は、１以上の通信標準に従って無線通信を提供することができる。例えば、送受信器器２５は、アナログ標準（ＩＳ−５４など）、ＴＤＭＡ標準（少なくともＩＳ−１３６およびＧＳＭのいずれかなど）、ＣＤＭＡ標準、および他の無線電話標準の少なくともいずれかに従う無線電話通信、Ｗｉ−Ｆｉ標準（ＩＥＥＥ８０２．１１など）に従うデータ通信、および短距離通信標準（Ｂｌｕｅｔｏｏｔｈなど）に従うデータ通信のうちの少なくともいずれかを提供し得る。１つの送信器および１つの受信器を含む送受信器２５によって異なる通信標準をサポートすることができる。また、異なる通信標準をサポートするために、送受信器２５が、少なくとも、複数の送信器および受信器の少なくともいずれか、および複数のアンテナのいずれかを提供することができる。
【００２７】
本発明の実施形態によれば、抑制通信は、無線電話通信標準、Ｗｉ−Ｆｉ標準、および短距離通信標準の少なくともいずれかに従って無線で受信することができる。抑制通信に応答して、携帯用通信装置２１の少なくとも１つの機能の動作を維持しながら、もう１つの機能または複数の機能を抑制することができる。無線抑制通信の受信に応答して、例えば、コントローラ３１および機能インヒビタ３５の少なくともいずれかは、無線電話機能、デジタル・カメラ機能、デジタル・オーディオ・レコーダ機能、デジタル・ビデオ・レコーダ機能、電子メール送信器機能、およびインターネット・ブラウザ機能のうちの少なくとも１つの機能の動作を維持しながら、そのうちのもう１つの機能または複数の機能の動作を抑制することができる。
【００２８】
また、コントローラ３１および機能インヒビタ３５の少なくともいずれかは、無線抑制通信の受信に応答して、無線送信を必要としない１以上の他の機能の動作を維持しながら無線送信を抑制することができる。それ以外にも、コントローラ３１および機能インヒビタ３５の少なくともいずれかは、無線抑制通信の受信に応答して、デジタル記録を必要としない少なくとも１つの機能の動作を維持しながら少なくとも画像および音声のいずれかのデジタル記録を抑制することができる。
【００２９】
抑制通信の受信に応答して１つの機能が選択的に抑制されると、コントローラ３１および機能インヒビタ３５の少なくともいずれかは、送受信器２５で無線で受信された実行可能通信に応答して、抑制された機能の動作を実行可能にすることができる。また、コントローラ３１および機能インヒビタ３５の少なくともいずれかは、その後の抑制通信の受信なしに所定の期間経過した後、抑制された機能の動作を実行可能にすることができる。
【００３０】
ローカル制御装置４１は、アンテナ４３、送信器４７および受信器４９を含む送受信器４５、およびコントローラ５１を含み得る。本発明の実施形態によれば、ローカル制御装置は、ＢｌｕｅｔｏｏｔｈまたはＩＥＥＥ８０２．１１などの短距離データ通信プロトコルに従って動作するデータ・ネットワークの無線アクセス・ポイントとすることができる。例えば、コントローラ５１は、送受信器４５の動作を制御し、送受信器４５によって受信され、それから送信されたデータを処理することができ、したがってローカル制御装置４１は、ネットワークとローカル制御装置４１の通信圏内の携帯用通信装置との間の無線インターフェースを提供することができる。ローカル制御装置４１は、短距離にわたって動作を行うことができるため、ローカル制御装置４１は、同じ建物、同じフロア、同じ部屋など、比較的近い携帯用通信装置との通信のみをサポートし得る。
【００３１】
さらに、ローカル制御装置４１は、ローカル制御装置４１の通信圏内の携帯用通信装置の機能を抑制するために使用される抑制通信を送信することができる。本発明の一部の実施形態によれば、ローカル制御装置は、通信圏内の互換性のあるすべての携帯用通信装置によって受信されるように、抑制通信を定期的に送信することができ、抑制通信は、ローカル制御装置４１がある場所に適応させることができる。例えば、劇場または飛行機をカバーする範囲を有するローカル制御装置が劇場または飛行機にある場合があり、ローカル制御装置は、抑制通信を定期的に送信して、劇場内または飛行機内の互換性のあるすべての電子装置の無線電話の動作を抑制するように構成することができる。したがって、選択された動作は、ローカル制御装置４１と携帯用通信装置２１との間の双方向通信の必要なく、限られたエリアにおいて抑制することができる。
【００３２】
さらに、携帯用通信装置２１は、定期的な抑制通信の受信なしに所定の期間経過した後、抑制された機能を実行可能にすることができる。したがって、携帯用通信装置２１がローカル制御装置４１の通信圏外に出た場合、及び、ローカル制御装置４１が定期的な抑制通信の送信を中止した場合の少なくともいずれかにおいて、抑制された機能は、自動的に実行可能になり得る。言い換えれば、ローカル制御装置４１が抑制通信の送信を中止する（例えば劇場での休憩中など）ことによって機能を許可するため、または携帯用通信装置２１がもはやローカル制御装置４１の通信圏内にない（例えばユーザが電子装置を劇場外に持って行ったときなど）ため、抑制された機能は、復元することができる。
【００３３】
別の実施形態によれば、電子装置２１は、ローカル制御装置４１が電子装置２１に特有の抑制通信を生成し、送信する前に、その存在をローカル制御装置４１に知らせることができる。例えば、ローカル制御装置の存在を検出すると、携帯用通信装置２１は、電子装置２１の識別子を提供し、電子装置２１によって提供された機能の識別を提供する識別通信を送信することができる。次いでローカル制御装置４１は、抑制すべき機能をその都度決定することができるように、電子装置２１に固有の抑制通信で応答することができる。例えば、ローカル制御装置がいくつかの装置において特定の機能を抑制し、同じ機能を他の装置において許可することができるように、異なる電子装置に異なる許可を与えることができる。例えば、（警察官、消防士、および救急医療スタッフの少なくともいずれかのような）緊急の応答者に割り当てられた電子装置は、すべての機能が維持されるように識別することができ、市民に割り当てられた電子装置は抑制された機能の対象になるようにすることができる。
【００３４】
上述したように、ローカル制御装置４１は、携帯用通信装置２１とネットワークとの間の無線インターフェース、およびその通信圏内の携帯用通信装置の機能の抑制制御のソースを提供することができる。また、ローカル制御装置は、ネットワーク・インターフェースを提供することはできない。本発明の実施形態によれば、ローカル制御装置は、抑制通信を送信する機能を提供することができるが、それとは別にネットワークへのインターフェースを提供するものではない。
【００３５】
ローカル制御装置４１と携帯用通信装置２１との間の通信のために短距離通信プロトコルを使用することによって、ローカル制御装置が携帯用通信装置の機能を抑制することができるエリアを、短距離プロトコルの通信の圏内に限定することができる。したがって、短距離プロトコルの使用は、ローカル制御装置４１の送信圏内の比較的小さい場所に固有であるという利点を提供することができる。この範囲は、さらに、ローカル制御装置４１の送信能力の制御、及び、ローカル制御装置４１の使用範囲の遮蔽の少なくともいずれかによって限定することができる。
【００３６】
本発明の別の実施形態によれば、ローカル制御装置４１は、ＩＳ−１３６、ＧＳＭ、およびＣＤＭＡの少なくともいずれかのような標準によるセル方式無線電話通信システムの無線電話基地局、またはトランク無線通信システム（ｔｒｕｎｋｅｄ  ｒａｄｉｏ  ｃｏｍｍｕｎｉｃａｔｉｏｎｓ  ｓｙｓｔｅｍ）の基地局とすることができる。ここでは、基地局によってサービスが提供されるあるセル内の基地局と通信するすべての電子装置について、選択された機能を抑制することができる。例えば、特定の基地局は、写真が禁止される軍事施設上のセルを介してサービスを提供する場合がある。したがって、この基地局からの抑制通信は、その通信圏内の電子装置に、デジタル・カメラ機能を抑制するよう指示することができる。
【００３７】
また、相対的に大きいエリアをカバーする無線電話基地局などのローカル制御装置４１によって抑制通信が送信されるとき、位置決定技術を使用して、基地局によってカバーされるセルの特定の部分内にある電子装置に抑制通信を選択的に送信することができる。携帯用通信装置２１は、例えば、携帯用通信装置２１がその位置を決定できるＧＰＳ（全地球測位システム）やＬＯＲＡＮなどの位置決定システムを含むことができ、その位置は、ローカル制御装置４１として働く基地局に送信することができる。また、携帯用通信装置２１の位置は、複数の基地局からの三角測量を使用して決定することができる。携帯用通信装置２１の位置が基地局に提供され、または基地局によって決定されると、機能の抑制が望まれるエリア内に携帯用通信装置２１がある場合、抑制通信を特定の携帯用通信装置２１に送信することができる。
【００３８】
例えば、携帯用通信装置２１がローカル制御装置４１として働く基地局によってカバーされているセルに入ると、携帯用通信装置２１は、識別通信を使用して基地局に名乗ることができる。電子装置が位置決定システム（ＧＰＳやＬＯＲＡＮなど）を含む場合、識別通信は、位置決定システムによって決定された電子装置の位置、およびモバイル識別番号（ＭＩＮ）など電子装置の識別を含むことができる。携帯用通信装置２１が位置決定システムを含まない場合、識別通信は、ＭＩＮなどの電子装置の識別を含むことができ、基地局は、識別通信を使用して、他の基地局と連携して電子装置の位置を三角測量することができる。次いで、特定の携帯用通信装置が軍用基地など何らかの機能を抑制すべきエリアにある場合、基地局は、携帯用通信装置２１の位置および識別を使用して、抑制通信を特定の携帯用通信装置２１に送信することができる。
【００３９】
定期的な識別通信を携帯用通信装置２１から基地局に送信することによって、基地局は、電子装置が特定の機能を抑制すべきエリアの内外に移動するときに、抑制通信および実行可能通信を送信することができる。さらに、同じ基地局によってカバーされる異なるエリアにおいて異なる機能を抑制することができる。例えば、あるエリアにおいてデジタル・カメラおよびビデオの機能を抑制することができ、別のエリアにおいて無線電話通信を抑制することができる。
【００４０】
図２および図３に、本発明の実施形態による携帯用通信装置およびローカル制御装置の動作を示している。図２に示すように、ローカル制御装置は、ローカル制御装置の通信圏内の携帯用通信装置の特定の機能を抑制すべきである限り、定期的な抑制通信を送信することができる。より詳細には、ローカル制御装置は、ブロック１０１で、携帯用通信装置の特定の機能を抑制すべきであるときまで待つことができる。機能を抑制すべきであることが決定されると、ブロック１０３で、抑制通信を送信することができる。
【００４１】
ブロック１０５で、次の抑制通信を送信する前に、所定の遅延時間を課すことができる。より詳細には、ブロック１０５で、所定の遅延時間が経過すると、ブロック１０１で、ローカル制御装置は、機能を依然として抑制すべきかどうかを決定することができる。そうである場合、ブロック１０３で、抑制通信を再度送信することができる。そうでない場合、ローカル制御装置は、ブロック１０１で、同じまたは異なる機能を抑制すべきであるときまで待つことができる。
【００４２】
ブロック１０３で送信された抑制通信は、ローカル制御装置の通信圏内のすべての携帯用通信装置で同じ機能が抑制されるように、ローカル制御装置の通信圏内のすべての携帯用通信装置に適用することができる。また、抑制通信を、特定の機能を抑制すべき携帯用通信装置のうちの１つまたは１グループに向けることができる。例えば、抑制通信は、抑制すべき特定の機能の識別および特定の機能を抑制すべき特定の携帯用通信装置の識別の少なくともいずれかを含み得る。
【００４３】
上述したように、ローカル制御装置は、劇場や飛行機など比較的限られた環境内で動作し得る。劇場では、公演中、不必要な雑音を減らすために、携帯用通信装置の無線電話機能を抑制することができる。飛行機では、離陸中および着陸中、ナビゲーション機器の妨害を減らすために、無線電話機能を抑制することができる。これらの例のそれぞれにおいて、劇場または飛行機内にいるときはいつでもすべての携帯用通信の無線電話機能が抑制されるように、抑制通信の送信を定期的に送信することができる。言い換えれば、ブロック１０１は、定期的な送信が常に送信されるように取り除くことができる。
【００４４】
また、ローカル制御装置は、機能を抑制すべきとき、抑制通信を定期的に送信し、機能を許可するとき、抑制通信の定期的な送信を中止することができる。劇場では、公演中、劇場での携帯用通信装置の無線電話機能を抑制するために、ブロック１０３で、抑制通信を定期的に送信することができ、しかし、休憩中、無線電話機能を許可するために、ブロック１０１で、抑制通信の定期的な送信を中止することができる。飛行機では、離陸および着陸中、ブロック１０３で、抑制通信を定期的に送信することができ、しかし、飛行機のクルージング中、及び、ゲートでの待機中の少なくともいずれかにおいて、ブロック１０１で、抑制通信の定期的な送信を中止することができる。
【００４５】
図３に、本発明の実施形態による携帯用通信装置の動作を示している。ブロック２０１で、携帯用通信装置は、ローカル制御装置から抑制通信が受信されるまで待つ。ブロック２０１で、抑制通信がローカル制御装置から受信されると、ブロック２０３で、携帯用通信装置は、抑制通信に指示されているようにその機能を抑制するように動作する。例えば、携帯用通信装置は、無線電話機能、デジタル・カメラ機能、デジタル・オーディオ・レコーダ機能、デジタル・ビデオ・レコーダ機能、電子メール送信器機能、およびインターネット・ブラウザ機能などの１以上の機能を抑制することができる。
【００４６】
定期的な抑制通信がローカル制御装置によって送信される場合、ブロック２０５で、携帯用通信装置は、次の抑制通信の受信を待つことができる。ブロック２０５で、（ローカル制御通信からの定期的な送信の期間以上の）所定の期間内に次の抑制通信が受信された場合、ブロック２０３および２０５のループで、抑制された機能は抑制されたままとすることができる。ブロック２０５で、（ローカル制御通信からの定期的な送信の期間以上の）所定の期間内に次の抑制通信が受信されない場合、ブロック２０１で別の抑制通信が受信されるまで、ブロック２０７で、前に抑制されていた機能を実行可能にすることができる。抑制通信を受信すると、携帯用通信装置は、携帯用通信装置が定期的な抑制通信を送信するローカル制御装置の通信圏外に移動するまで、及び、ローカル制御装置が定期的な抑制通信の送信を中止するまでの少なくともいずれかにおいて、抑制通信で指定された特定の機能を抑制することができる。
【００４７】
ブロック２０１で受信された抑制通信は、抑制通信を受信する範囲内のすべての携帯用通信装置向けの一般の通信とすることができ、この場合、携帯用通信装置は、抑制通信に応答して抑制すべき機能を識別するだけである。抑制通信は、抑制通信を受信するすべての携帯用通信装置によって抑制されるべき特定の機能を識別する情報を含み得る。
【００４８】
また、ブロック２０１で受信された抑制通信は、特定の携帯用通信装置またはあるカテゴリの装置を対象とすることができる。したがって、抑制通信は、携帯用通信装置またはあるカテゴリの装置の識別を含み得る。したがって、ブロック２０１での抑制通信を受信する動作は、抑制通信が通信を受信した携帯用通信装置に適用されるかどうか、また、そうである場合は抑制すべき機能を決定するステップを含み得る。
【００４９】
携帯用通信装置を対象とした抑制通信の受信に応答して、携帯用通信装置は、携帯用通信装置によってサポートされている複数の機能のうちの少なくとも１つの機能の動作を維持しながら、携帯用通信装置によってサポートされている複数の機能のうちの少なくとももう１つの機能の動作を抑制することができる。より詳細には、携帯用通信装置は、抑制通信によって識別された特定の機能を抑制することができる。例えば、抑制通信は、無線電話機能、デジタル・カメラ機能、デジタル・オーディオ・レコーダ機能、デジタル・ビデオ・レコーダ機能、電子メール送信器機能、およびインターネット・ブラウザ機能のうちの少なくとも１つの抑制を指示することができる。また、抑制通信は、無線送信の抑制を指示することができる。
【００５０】
図４および図５に、本発明の別の実施形態による携帯用通信装置およびローカル制御装置の動作を示している。図４に示すように、携帯用通信装置は、ブロック４０１でローカル制御装置が通信圏内にあるかどうかを決定するために、１以上の制御チャネルを監視することができる。ブロック４０１でローカル制御装置が検出されると、ブロック４０３で、携帯用通信装置は、識別通信を送信することができる。識別通信は、携帯用通信装置の一意の識別を含んでいてもよく、また、識別通信は、携帯用通信装置によってサポートされる機能の識別を含んでいてもよい。
【００５１】
識別通信を受信すると、ローカル制御装置は、受信通知を送信し、携帯用通信装置は、ブロック４０５で受信通知が受信されるまで、識別通信を送信し直すことができる。ローカル制御装置によって識別通信が受信されると、ローカル制御装置は、携帯用通信装置の１以上の機能を抑制すべきかどうかを決定することができる。したがって、ブロック４０７で、携帯用通信装置は、携帯用通信装置の抑制通信または実行可能通信が受信されるかどうかを決定することができる。さらに、最初の抑制通信が受信通知の一部として受信される、または個別の抑制通信が送信されることも可能である。より詳細には、携帯用通信装置の任意の受信通知通信、抑制通信、および実行可能通信の少なくともいずれかが識別通信で提供されるような携帯用通信装置の識別を含んでいてもよい。
【００５２】
ブロック４０７で携帯用通信装置の抑制通信または実行可能通信が受信された場合、ブロック４０９で抑制または実行可能にすべき特定の機能を決定し、ブロック４１１で特定の機能を抑制する、またはブロック４１３で特定の機能を実行可能にすることができる。ブロック４１１または４１３で、特定の機能が抑制されるか、実行可能にされると、携帯用通信装置は、ブロック４０７で、別の抑制通信または実行可能通信を監視することができる。
【００５３】
ブロック４０７で、抑制通信または実行可能通信が受信されず、ブロック４１５で携帯用通信装置が引き続きローカル制御装置を検出する間、携帯用通信装置は、携帯用通信装置にアドレス指定される新しい抑制通信または実行可能通信、およびローカル制御装置の持続的な検出を監視することができる。ブロック４０７で、携帯用通信装置の別の抑制通信または実行可能通信が受信された場合、示された機能は、ブロック４０９、４１１、および４１３の少なくともいずれかで抑制されるか実行可能にされる。携帯用通信装置がブロック４１５でもはやローカル制御装置を検出しない場合、携帯用通信装置は、ブロック４１７で、抑制されたすべての機能を実行可能にし、ブロック４０１で、別のまたは同じローカル制御装置の検出を待つ。
【００５４】
ブロック４０７で抑制通信または実行可能通信が受信されず、ブロック４１５で携帯用通信装置が引き続きローカル制御装置を検出する間、携帯用通信装置は、ブロック４１９で追加の識別を送信すべきかどうかをブロック４１９で決定することができる。追加の識別通信を送信すべきである場合、ブロック４０３で追加の識別通信を送信し、ブロック４０５で受信通知が受信されるまで再送することができる。次いで携帯用通信装置は、ブロック４０７および４１５で、抑制／実行可能通信、およびローカル制御装置の持続的な検出を監視することができる。そうでない場合、ブロック４０７および４１５で、抑制／実行可能通信、およびローカル制御装置の持続的な検出の監視を追加の識別通信の送信なしで続行することができる。
【００５５】
例えば、携帯用通信装置の持続的な存在をローカル制御装置に知らせるために、ブロック４０３で、携帯用通信装置によって追加の識別通信を定期的に送信することができる。したがって、ブロック４１９は、所定の時間間隔で追加の識別通信を送信すべきときであることを決定することができる。また、またはさらに、識別通信は、抑制する機能があるとすれば、携帯用通信装置のどの機能を抑制すべきかを決定するためにローカル制御装置によって使用される携帯用通信装置の位置を識別する情報を含み得る。
【００５６】
携帯用通信装置は、例えば、携帯用通信装置がその位置を決定することができる全地球測位システム（ＧＰＳ）を含むことができ、この位置決定情報は、ブロック４０３で送信される識別通信で提供することができる。無線電話通信システムの基地局がローカル制御装置として働いているとき、基地局によってカバーされるセルは比較的大きい可能性がある。したがって、抑制通信は、セル内の位置に基づいて携帯用通信装置に送信することができる。したがって携帯用通信装置は、所定の時間間隔が経過した後、識別通信を定期的に送信する代わりに、またはそれに加えて、位置の変化を検出時に、識別通信を送信することができる。したがって、ローカル制御装置は、携帯用通信装置の位置を追跡し、携帯用通信装置の位置に基づいて携帯用通信装置の抑制通信や実行可能通信を可能とする。
【００５７】
また、携帯用通信装置からの定期的な識別送信は、ローカル制御装置によって携帯用通信装置の位置を決定するために使用することができる。例えば、無線電話システムの基地局をローカル制御装置として使用するとき、システムにおける複数の基地局は、所定の時間間隔で携帯用通信装置から送信された定期的な識別通信を使用して携帯用通信装置の位置を三角測量することができる。
【００５８】
図５に、本発明の実施形態によるローカル制御装置の動作を示している。上述したように、携帯用通信装置は、ローカル制御装置の存在を検出すると、識別通信を送信することができる。ローカル制御装置は、例えば、ローカル制御装置によってカバーされるエリア内の制御チャネルを介してその識別を送信することができる。短距離通信プロトコルに従ってネットワーク・ノードとして実装されると、制御チャネルは、例えば建物内、フロア内、部屋内、劇場内、および飛行機内の少なくともいずれかなど、限られたエリア内に送信することができる。セル方式通信システムにおける基地局として実装すると、制御チャネルは、ローカル制御装置として働く基地局によってカバーされるセルを介して送信することができる。
【００５９】
ローカル制御装置からの制御チャネルの受信に応答して、携帯用通信装置は、識別通信をローカル制御装置に送信することができる。ブロック５０１で、携帯用通信装置からの識別通信を受信すると、ローカル制御装置は、ブロック５０３で、携帯用通信装置に受信通知通信を送信することができる。ブロック５０５で、携帯用通信装置の任意の機能を抑制または実行可能にすべきかどうかの決定を行うことができる。ブロック５０５で、機能を実行可能にすべき、または抑制すべき場合、ブロック５０７で、実行可能または実行不可にすべき特定の機能を決定することができ、ブロック５０９または５１１で、抑制通信または実行可能通信を送信することができる。抑制通信または実行可能通信が送信されると、ローカル制御装置は、ブロック５０１で、追加の識別通信を監視し、ブロック５０５で、任意の機能を抑制または実行可能にすべきかどうかを監視することができる。
【００６０】
携帯用通信装置からの最初の識別通信を受信すると、ローカル制御装置は、ブロック５０１で、携帯用通信装置からの追加の識別通信を監視し、また、ブロック５０５で、携帯用通信装置の機能を抑制または実行可能にするべきかどうかについての決定を持続的に行うことができる。上述したように、携帯用通信装置の識別通信は、携帯用通信装置の位置（ＧＰＳ情報など）を識別する情報を含むことができ、また、識別通信は、ローカル制御装置によって、（例えば三角測量を介して）携帯用通信装置の位置を決定するために使用することができる。
【００６１】
したがって、ローカル制御装置は、携帯用通信装置の位置の変更に基づいて、ブロック５０５および５０７で、抑制および実行可能の少なくともいずれかの対象とすべき機能を決定することができる。例えば、ローカル制御装置は、セル方式無線電話システムの基地局として実装することができ、ローカル制御装置は、基地局によってカバーされるセルの１つの領域内にある間、特定の機能を抑制することができ、基地局によってカバーされるセルの第２の領域内にある間、同じ機能を実行可能にすることができる。
【００６２】
ローカル制御装置は、位置以外の要因に基づいて、ブロック５０５および５０７で抑制および実行可能の少なくともいずれかの対象とすべき機能を決定することもできる。ローカル制御装置は、例えば、劇場または飛行機内など、比較的限られた環境で短距離通信を提供することができる。したがって、抑制通信は、公演中、または離陸／着陸中に無線電話機能などの機能を抑制するために送信することができる。次いで実行可能通信は、劇場での休憩中、またはゲートにいるとき、または飛行機でのクルージング中に無線電話機能などの機能を実行可能にするために送信することができる。さらに、受信通知通信は、抑制または実行可能通信の一部として送信することができる。同様に、抑制または実行可能通信は、受信通知通信の一部として送信することができる。
【００６３】
図面および明細書において、本発明の一般的な好ましい実施形態を開示しており、また、特定の用語が使用されているが、これらは、限定のためではなく包括的かつ記述的な意味で使用されているにすぎず、本発明の範囲は、特許請求の範囲に記載されている。
【図面の簡単な説明】
【００６４】
【図１】本発明の実施形態による携帯用通信装置およびローカル制御装置を示すブロック図である。
【図２】本発明の実施形態によるローカル制御装置の動作を示すフロー・チャートである。
【図３】本発明の別の実施形態による携帯用通信装置の動作を示すフロー・チャートである。
【図４】本発明のさらに別の実施形態による携帯用通信装置の動作を示すフロー・チャートである。
【図５】本発明のさらに別の実施形態によるローカル制御装置の動作を示すフロー・チャートである。
【図１】
2007504775.tif 000002
【図２】
2007504775.tif 000003
【図３】
2007504775.tif 000004
【図４】
2007504775.tif 000005
【図５】
2007504775.tif 000006
【手続補正書】
【提出日】平成16年11月16日(2004.11.16)
【手続補正１】
【補正対象書類名】特許請求の範囲
【補正対象項目名】全文
【補正方法】変更
【補正の内容】
【特許請求の範囲】
【請求項１】
無線通信を受信するように構成されている受信器と、
前記受信器に結合されているコントローラとを備え、
前記コントローラが前記受信器によって受信された通信を処理するように構成されており、
前記コントローラが携帯用通信装置の複数の機能を提供するように構成されており、
前記コントローラは、前記受信器で無線で受信された抑制通信に応答して、複数の機能のうちの少なくとも１つの機能の動作を選択的に抑制する一方で、前記複数の機能のうちの少なくとももう１つの機能の動作を維持するように構成され、
前記複数の機能のうちの前記少なくとも１つの機能の動作を選択的に抑制した後、前記コントローラは、さらに、その後の抑制通信の受信なしに所定の期間経過した後、前記複数の機能のうちの少なくとも１つの機能の動作を実行可能にするように構成されていることを特徴とする携帯用通信装置。
【請求項２】
前記携帯用通信装置の前記複数の機能が、無線電話、アドレス帳、計算器、カレンダ、デジタル・カメラ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも２つを含むことを特徴とする請求項１に記載の携帯用通信装置。
【請求項３】
前記携帯用通信装置の前記複数の機能が、無線電話と、アドレス帳、計算器、カレンダ、デジタル・カメラ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも１つとを含み、
前記無線電話機能の動作は、前記機能のうちの少なくとももう１つの機能の動作が維持される一方で、前記抑制通信に応答して抑制されることを特徴とする請求項１に記載の携帯用通信装置。
【請求項４】
前記携帯用通信装置の前記複数の機能が、デジタル・カメラと、無線電話、アドレス帳、計算器、カレンダ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも１つとを含み、
前記デジタル・カメラ機能の動作は、前記機能のうちの少なくとももう１つの機能の動作が維持される一方で、前記抑制通信に応答して抑制されることを特徴とする請求項１に記載の携帯用通信装置。
【請求項５】
前記携帯用通信装置の前記複数の機能が、デジタル・オーディオ・レコーダと、無線電話、アドレス帳、計算器、カレンダ、デジタル・カメラ、デジタル・ゲーム、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも１つとを含み、
前記デジタル・オーディオ・レコーダ機能の動作は、前記機能のうちの少なくとももう１つの機能の動作が維持される一方で、前記抑制通信に応答して抑制されることを特徴とする請求項１に記載の携帯用通信装置。
【請求項６】
前記携帯用通信装置の前記複数の機能が、デジタル・ビデオ・レコーダと、無線電話、アドレス帳、計算器、カレンダ、デジタル・カメラ、デジタル・ゲーム、デジタル・オーディオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも１つとを含み、
前記デジタル・ビデオ・レコーダ機能の動作は、前記機能のうちの少なくとももう１つの機能の動作が維持される一方で、前記抑制通信に応答して抑制されることを特徴とする請求項１に記載の携帯用通信装置。
【請求項７】
前記携帯用通信装置の前記複数の機能が、電子メール送信器と、無線電話、アドレス帳、計算器、カレンダ、デジタル・カメラ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール受信器、デジタル・データ送信器、およびデジタル画像ビューアのうちの少なくとも１つとを含み、
前記電子メール送信器機能の動作は、前記機能のうちの少なくとももう１つの機能の動作が維持される一方で、前記抑制通信に応答して抑制されることを特徴とする請求項１に記載の携帯用通信装置。
【請求項８】
前記携帯用通信装置の前記複数の機能が、インターネット・ブラウザと、無線電話、アドレス帳、計算器、カレンダ、デジタル・カメラ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、電子メール送信器、電子メール受信器、デジタル・データ送信器、およびデジタル画像ビューアのうちの少なくとも１つとを含み、
前記インターネット・ブラウザ機能の動作は、前記機能のうちの少なくとももう１つの機能の動作が維持される一方で、前記抑制通信に応答して抑制されることを特徴とする請求項１に記載の携帯用通信装置。
【請求項９】
前記コントローラと結合される送信器を更に備え、前記コントローラは、前記抑制通信に応答して、送信を必要としない少なくとも１つの機能の動作を維持する一方で、無線送信を選択的に抑制するように構成されていることを特徴とする請求項１に記載の携帯用通信装置。
【請求項１０】
前記コントローラは、前記抑制通信に応答して、デジタル記録を必要としない少なくとも１つの機能の動作を維持する一方で、少なくとも画像および音声のいずれかのデジタル記録を選択的に抑制するように構成されていることを特徴とする請求項１に記載の携帯用通信装置。
【請求項１１】
前記複数の機能のうちの前記少なくとも１つの機能の動作を選択的に抑制した後、前記コントローラは、さらに、前記送受信器で無線で受信された実行可能通信に応答して、前記複数の機能のうちの前記少なくとも１つの機能の動作を実行可能にするように構成されていることを特徴とする請求項１に記載の携帯用通信装置。
【請求項１２】
前記抑制通信は、短距離データ通信プロトコルに従って前記送受信器で無線で受信されることを特徴とする請求項１に記載の携帯用通信装置。
【請求項１３】
前記短距離データ通信プロトコルがＢｌｕｅｔｏｏｔｈデータ通信プロトコルを含むことを特徴とする請求項１２に記載の携帯用通信装置。
【請求項１４】
前記短距離データ通信プロトコルがＩＥＥＥ８０２．１１データ通信プロトコルを含むことを特徴とする請求項１２に記載の携帯用通信装置。
【請求項１５】
無線通信を携帯用通信装置に送信する送信器と、
前記送信器に結合されているコントローラとを備え、
前記コントローラは、前記送信器から送信される通信を処理するように構成されており、前記コントローラは、前記複数の機能のうちの少なくとも１つの機能の動作を選択的に抑制する一方で、前記複数の機能のうちの少なくとももう１つの機能の動作を維持するように携帯用通信装置に指示する複数の機能を提供する前記携帯用通信装置の抑制通信を生成するように構成されており、前記抑制通信が前記送信器によって周期的に送信される
ことを特徴とするローカル制御装置。
【請求項１６】
前記携帯用通信装置の前記複数の機能が、無線電話、アドレス帳、計算器、カレンダ、デジタル・カメラ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも２つを含むことを特徴とする請求項１５に記載のローカル制御装置。
【請求項１７】
前記携帯用通信装置の前記複数の機能が、無線電話と、アドレス帳、計算器、カレンダ、デジタル・カメラ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも１つとを含み、
前記抑制通信が、前記機能の少なくとももう１つの機能の動作を維持する一方で、前記無線電話機能の動作を抑制するように前記携帯用通信装置に指示することを特徴とする請求項１５に記載のローカル制御装置。
【請求項１８】
前記携帯用通信装置の前記複数の機能が、デジタル・カメラと、無線電話、アドレス帳、計算器、カレンダ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも１つとを含み、
前記抑制通信が、前記機能の少なくとももう１つの機能の動作を維持する一方で、前記デジタル・カメラ機能の動作を抑制するように前記携帯用通信装置に指示することを特徴とする請求項１５に記載のローカル制御装置。
【請求項１９】
前記携帯用通信装置の前記複数の機能が、デジタル・オーディオ・レコーダと、無線電話、アドレス帳、計算器、カレンダ、デジタル・カメラ、デジタル・ゲーム、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも１つとを含み、
前記抑制通信が、前記機能の少なくとももう１つの機能の動作を維持する一方で、前記デジタル・オーディオ・レコーダ機能の動作を抑制するように前記携帯用通信装置に指示することを特徴とする請求項１５に記載のローカル制御装置。
【請求項２０】
前記携帯用通信装置の前記複数の機能が、デジタル・ビデオ・レコーダと、無線電話、アドレス帳、計算器、カレンダ、デジタル・カメラ、デジタル・ゲーム、デジタル・オーディオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも１つとを含み、
前記抑制通信が、前記機能の少なくとももう１つの機能の動作を維持する一方で、前記デジタル・ビデオ・レコーダ機能の動作を抑制するように前記携帯用通信装置に指示することを特徴とする請求項１５に記載のローカル制御装置。
【請求項２１】
前記携帯用通信装置の前記複数の機能が、電子メール送信器と、無線電話、アドレス帳、計算器、カレンダ、デジタル・カメラ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール受信器、デジタル・データ送信器、およびデジタル画像ビューアのうちの少なくとも１つとを含み、
前記抑制通信が、前記機能の少なくとももう１つの機能の動作を維持する一方で、前記電子メール送信器機能の動作を抑制するように前記携帯用通信装置に指示することを特徴とする請求項１５に記載のローカル制御装置。
【請求項２２】
前記携帯用通信装置の前記複数の機能が、インターネット・ブラウザと、無線電話、アドレス帳、計算器、カレンダ、デジタル・カメラ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、電子メール送信器、電子メール受信器、デジタル・データ送信器、およびデジタル画像ビューアのうちの少なくとも１つとを含み、
前記抑制通信が、前記機能の少なくとももう１つの機能の動作を維持する一方で、前記インターネット・ブラウザ機能の動作を抑制するように前記携帯用通信装置に指示することを特徴とする請求項１５に記載のローカル制御装置。
【請求項２３】
前記抑制通信が、送信を必要としない少なくとも１つの機能の動作を維持する一方で、無線送信を選択的に抑制するように前記携帯用通信装置に指示することを特徴とする請求項１５に記載のローカル制御装置。
【請求項２４】
前記抑制通信が、デジタル記録を必要としない少なくとも１つの機能の動作を維持する一方で、少なくとも画像及び音声のいずれかのデジタル記録を選択的に抑制するように前記携帯用通信装置に指示することを特徴とする請求項１５に記載のローカル制御装置。
【請求項２５】
前記抑制通信の送信の後、前記コントローラが、前に抑制されていた前記複数の機能のうちの前記少なくとも１つの機能の動作を実行可能にするように前記携帯用通信装置に指示する実行可能通信を生成し、前記実行可能通信が前記送信器から送信されることを特徴とする請求項１５に記載のローカル制御装置。
【請求項２６】
前記抑制通信が、短距離データ通信プロトコルに従って前記送信器から無線で送信されることを特徴とする請求項１５に記載のローカル制御装置。
【請求項２７】
前記短距離データ通信プロトコルが、Ｂｌｕｅｔｏｏｔｈデータ通信プロトコルを含むことを特徴とする請求項２６に記載のローカル制御装置。
【請求項２８】
前記短距離データ通信プロトコルが、ＩＥＥＥ８０２．１１データ通信プロトコルを含むことを特徴とする請求項２６に記載のローカル制御装置。
【請求項２９】
前記コントローラに結合されている受信器をさらに含み、前記受信器が前記携帯用通信装置から識別通信を受信し、前記コントローラが、前記携帯用通信装置からの前記識別通信の受信に応答して前記携帯用通信装置の前記抑制通信を生成する
ことを特徴とする請求項１５に記載のローカル制御装置。
【請求項３０】
複数の機能を提供する携帯用通信装置を動作する方法であって、
抑制通信を無線で受信する工程と、
前記抑制通信に応答して前記複数の機能のうちの少なくとも１つの機能の動作を選択的に抑制する一方で、前記複数の機能のうちの少なくとももう１つの機能の動作を維持する工程と、
その後の抑制通信を受信することなく、所定の期間の間、前記複数の機能のうちの前記少なくとも１つの機能の動作を選択的に抑制した後に、前記複数の機能のうちの前記少なくとも１つの機能の動作を実行可能とする工程と
を備えることを特徴とする方法。
【請求項３１】
前記携帯用通信装置の前記複数の機能が、無線電話、アドレス帳、計算器、カレンダ、デジタル・カメラ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも２つを含むことを特徴とする請求項３０に記載の方法。
【請求項３２】
前記携帯用通信装置の前記複数の機能が、無線電話と、アドレス帳、計算器、カレンダ、デジタル・カメラ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも１つとを含み、
前記複数の機能のうちの少なくとも１つの機能の動作を選択的に抑制する工程は、前記機能のうちの少なくとももう１つの機能の動作を維持する一方で、前記抑制通信に応答して、前記無線電話機能の動作を抑制する工程を含むことを特徴とする請求項３０に記載の方法。
【請求項３３】
前記携帯用通信装置の前記複数の機能が、デジタル・カメラと、無線電話、アドレス帳、計算器、カレンダ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも１つとを含み、
前記複数の機能のうちの少なくとも１つの機能の動作を選択的に抑制する工程は、前記機能のうちの少なくとももう１つの機能の動作を維持する一方で、前記抑制通信に応答して、前記デジタル・カメラ機能の動作を抑制する工程を含むことを特徴とする請求項３０に記載の方法。
【請求項３４】
前記携帯用通信装置の前記複数の機能が、デジタル・オーディオ・レコーダと、無線電話、アドレス帳、計算器、カレンダ、デジタル・カメラ、デジタル・ゲーム、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも１つとを含み、
前記複数の機能のうちの少なくとも１つの機能の動作を選択的に抑制する工程は、前記機能のうちの少なくとももう１つの機能の動作を維持する一方で、前記抑制通信に応答して、前記デジタル・オーディオ・レコーダ機能の動作を抑制する工程を含むことを特徴とする請求項３０に記載の方法。
【請求項３５】
前記携帯用通信装置の前記複数の機能が、デジタル・ビデオ・レコーダと、無線電話、アドレス帳、計算器、カレンダ、デジタル・カメラ、デジタル・ゲーム、デジタル・オーディオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも１つとを含み、
前記複数の機能のうちの少なくとも１つの機能の動作を選択的に抑制する工程は、前記機能のうちの少なくとももう１つの機能の動作を維持する一方で、前記抑制通信に応答して、前記前記デジタル・ビデオ・レコーダ機能の動作を抑制する工程を含むことを特徴とする請求項３０に記載の方法。
【請求項３６】
前記携帯用通信装置の前記複数の機能が、電子メール送信器と、無線電話、アドレス帳、計算器、カレンダ、デジタル・カメラ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール受信器、デジタル・データ送信器、およびデジタル画像ビューアのうちの少なくとも１つとを含み、
前記複数の機能のうちの少なくとも１つの機能の動作を選択的に抑制する工程は、前記機能のうちの少なくとももう１つの機能の動作を維持する一方で、前記抑制通信に応答して、前記電子メール送信器機能の動作を抑制する工程を含むことを特徴とする請求項３０に記載の方法。
【請求項３７】
前記携帯用通信装置の前記複数の機能が、インターネット・ブラウザと、無線電話、アドレス帳、計算器、カレンダ、デジタル・カメラ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、電子メール送信器、電子メール受信器、デジタル・データ送信器、およびデジタル画像ビューアのうちの少なくとも１つとを含み、
前記複数の機能のうちの少なくとも１つの機能の動作を選択的に抑制する工程は、前記機能のうちの少なくとももう１つの機能の動作を維持する一方で、前記抑制通信に応答して、前記インターネット・ブラウザ機能の動作を抑制する工程を含むことを特徴とする請求項３０に記載の方法。
【請求項３８】
前記複数の機能のうちの少なくとも１つの機能の動作を選択的に抑制する工程が、前記抑制通信に応答して、無線送信を必要としない少なくとも１つの機能の動作を維持する一方で、無線送信を選択的に抑制する工程を含むことを特徴とする請求項３０に記載の方法。
【請求項３９】
前記複数の機能のうちの少なくとも１つの機能の動作を選択的に抑制する工程が、前記抑制通信に応答して、デジタル記録を必要としない少なくとも１つの機能の動作を維持する一方で、少なくとも画像および音声のいずれかのデジタル記録を選択的に抑制する工程を含むことを特徴とする請求項３０に記載の方法。
【請求項４０】
前記複数の機能のうちの前記少なくとも１つの機能の動作を選択的に抑制した後、実行可能通信を無線で受信する工程と、
前記実行可能通信の受信に応答して前記複数の機能のうちの前記少なくとも１つの機能の動作を実行可能にする工程と
をさらに備えることを特徴とする請求項３０に記載の方法。
【請求項４１】
前記抑制通信が、短距離データ通信プロトコルに従って無線で受信されることを特徴とする請求項３０に記載の方法。
【請求項４２】
前記短距離データ通信プロトコルが、Ｂｌｕｅｔｏｏｔｈデータ通信プロトコルを含むことを特徴とする請求項４１に記載の方法。
【請求項４３】
前記短距離データ通信プロトコルが、ＩＥＥＥ８０２．１１データ通信プロトコルを含むことを特徴とする請求項４１に記載の方法。
【請求項４４】
ローカル・エリア内の携帯用通信装置の動作を制御する方法であって、
複数の機能を提供する携帯用通信装置の抑制通信であって、前記携帯用通信装置が前記複数の機能のうちの少なくとも１つの機能の動作を選択的に抑制する一方で、前記複数の機能のうちの少なくとももう１つの機能の動作を維持するための指示を含む抑制通信を生成する工程と、
前記抑制通信を前記携帯用通信装置に無線で周期的に送信する工程と
を備えることを特徴とする方法。
【請求項４５】
前記携帯用通信装置の前記複数の機能が、無線電話、アドレス帳、計算器、カレンダ、デジタル・カメラ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも２つを含むことを特徴とする請求項４４に記載の方法。
【請求項４６】
前記携帯用通信装置の前記複数の機能が、無線電話と、ならびにアドレス帳、計算器、カレンダ、デジタル・カメラ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも１つとを含み、
前記抑制通信は、前記携帯用通信装置が前記機能のうちの少なくとももう１つの機能の動作を維持する一方で、前記無線電話機能の動作を抑制するための指示を含むことを特徴とする請求項４４に記載の方法。
【請求項４７】
前記携帯用通信装置の前記複数の機能が、デジタル・カメラと、無線電話、アドレス帳、計算器、カレンダ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも１つとを含み、
前記抑制通信は、前記携帯用通信装置が前記機能のうちの少なくとももう１つの機能の動作を維持する一方で、前記デジタル・カメラ機能の動作を抑制するための指示を含むことを特徴とする請求項４４に記載の方法。
【請求項４８】
前記携帯用通信装置の前記複数の機能が、デジタル・オーディオ・レコーダと、無線電話、アドレス帳、計算器、カレンダ、デジタル・カメラ、デジタル・ゲーム、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも１つとを含み、
前記抑制通信は、前記携帯用通信装置が前記機能のうちの少なくとももう１つの機能の動作を維持する一方で、前記デジタル・オーディオ・レコーダ機能の動作を抑制するための指示を含むことを特徴とする請求項４４に記載の方法。
【請求項４９】
前記携帯用通信装置の前記複数の機能が、デジタル・ビデオ・レコーダと、無線電話、アドレス帳、計算器、カレンダ、デジタル・カメラ、デジタル・ゲーム、デジタル・オーディオ・レコーダ、デジタル・オーディオ・プレイヤ、デジタル・ビデオ・プレイヤ、ページャ、ワード・プロセッサ、スプレッドシート、インターネット・ブラウザ、電子メール送信器、電子メール受信器、デジタル・データ送信器、およびデジタル画像ビューアのうちの少なくとも１つとを含み、
前記抑制通信は、前記携帯用通信装置が前記機能のうちの少なくとももう１つの機能の動作を維持する一方で、前記デジタル・ビデオ・レコーダ機能の動作を抑制するための指示を含むことを特徴とする請求項４４に記載の方法。
【請求項５０】
前記携帯用通信装置の前記複数の機能が、電子メール送信器と、無線電話、アドレス帳、計算器、カレンダ、デジタル・カメラ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、インターネット・ブラウザ、電子メール受信器、デジタル・データ送信器、およびデジタル画像ビューアのうちの少なくとも１つとを含み、
前記抑制通信は、前記携帯用通信装置が前記機能のうちの少なくとももう１つの機能の動作を維持する一方で、前記電子メール送信器の動作を抑制するための指示を含むことを特徴とする請求項４４に記載の方法。
【請求項５１】
前記携帯用通信装置の前記複数の機能が、インターネット・ブラウザと、無線電話、アドレス帳、計算器、カレンダ、デジタル・カメラ、デジタル・ゲーム、デジタル・オーディオ・レコーダ、デジタル・ビデオ・レコーダ、デジタル・オーディオ・プレイヤ、デジタル・ビデオ・プレイヤ、ページャ、ワード・プロセッサ、スプレッドシート、電子メール送信器、電子メール受信器、デジタル・データ送信器、およびデジタル画像ビューアのうちの少なくとも１つとを含み、
前記抑制通信は、前記携帯用通信装置が前記機能のうちの少なくとももう１つの機能の動作を維持する一方で、前記インターネット・ブラウザ機能の動作を抑制するための指示を含むことを特徴とする請求項４４に記載の方法。
【請求項５２】
前記抑制通信は、前記携帯用通信装置が送信を必要としない少なくとも１つの機能の動作を維持する一方で、無線送信を選択的に抑制するための指示を含むことを特徴とする請求項４４に記載の方法。
【請求項５３】
前記抑制通信は、前記携帯用通信装置がデジタル記録を必要としない少なくとも１つの機能の動作を維持する一方で、少なくとも画像および音声のいずれかのデジタル記録を選択的に抑制するための指示を含むことを特徴とする請求項４４に記載の方法。
【請求項５４】
前記抑制通信を送信した後、前に抑制されていた前記複数の機能のうちの前記少なくとも１つの機能の動作を実行可能にするように前記携帯用通信装置に指示する実行可能通信を生成する工程と、
前記実行可能通信を前記携帯用通信装置に送信する工程と
をさらに備えることを特徴とする請求項４４に記載の方法。
【請求項５５】
前記抑制通信が、短距離データ通信プロトコルに従って無線で送信されることを特徴とする請求項４４に記載の方法。
【請求項５６】
前記短距離データ通信プロトコルが、Ｂｌｕｅｔｏｏｔｈデータ通信プロトコルを含むことを特徴とする請求項５５に記載の方法。
【請求項５７】
前記短距離データ通信プロトコルが、ＩＥＥＥ８０２．１１データ通信プロトコルを含むことを特徴とする請求項５５に記載の方法。
【請求項５８】
前記抑制通信を生成する工程に先立って前記携帯用通信装置から識別通信が受信され、前記携帯用通信装置からの前記識別通信の受信に応答して、前記携帯用通信装置のための前記抑制通信が生成されることを特徴とする請求項４４に記載の方法。
【国際調査報告】
2007504775.tif 000007
2007504775.tif 000008
2007504775.tif 000009
2007504775.tif 000010
2007504775.tif 000011
2007504775.tif 000012